(57)【特許請求の範囲】
【請求項１】
水道設備とガス化オイル焚き給湯器と浴槽と洗濯機とにそれぞれ切替え自在に接続されることで、水道水を前記ガス化オイル焚き給湯器を介して或いは介することなく洗濯機に供給し、或いは浴槽内の残水を前記給湯器を介して或いは介することなく洗濯機に供給することを可能にした通路切替器を備えると共に、洗濯機に対して湯を供給する湯洗いモードと非加熱水を供給する水洗いモードとを選択できるようにした洗濯注湯制御装置であって、湯洗いモードが選択された際に、前記ガス化オイル焚き給湯器において未だオイルをガス化するための予熱が完了していない場合には、モードを水洗いモードに変更させると共に通路切替器に対して通路を水洗いモードに対応する通路に切替えて、給水を開始させるように制御するコントローラを備えたことを特徴とする洗濯注湯制御装置。
【請求項２】
湯洗いモードは、通路切替器によって水道水を加熱して洗濯機に供給する水道水湯洗いモードと、通路切替器によって浴槽内の残水を加熱して洗濯機に供給する浴槽残水湯洗いモードとの何れかから選択され、水洗いモードは、通路切替器によって水道水を加熱せずに洗濯機に供給する水道水水洗いモードと、通路切替器によって浴槽内の残水を加熱せずに洗濯機に供給する浴槽残水水洗いモードとの何れかから選択されることを特徴とする請求項１に記載の洗濯注湯制御装置。
【発明の詳細な説明】
【０００１】
【発明の属する技術分野】
本発明は、給湯器、特にガス化オイル焚き給湯器によって給湯される浴槽設備に付設させて使用され、浴槽内の残水や水道水を加熱し或いは加熱することなく全自動洗濯機等の洗濯機に供給するための洗濯注湯制御装置に関する。
【０００２】
【従来の技術】
従来より、浴槽内の残水や水道水を選択し、これを加熱して或いは加熱することなく、洗濯機に供給して、洗濯に利用することが広く一般に行われている。
上記洗濯機に対して水道水を加熱し或いは浴槽残水を加熱して給湯を行なう給湯器タイプとしては、従来都市ガス等を燃料としたガス給湯器がもっぱら使われており、この場合、水道水か浴槽残水か、また湯を供給するのか水を供給するのか等によって適した通路を切り替える通路切替器を併せて設備する必要がある。そして従来は、ガス給湯器を用いて加熱された水道水或いは加熱された浴槽残水を洗濯機に供給する場合、通路切替器のリモコンの運転スイッチをオンすることで、ガス給湯器の給湯運転も開始させて、これによって浴槽内の残水や水道水を加熱し、洗濯機側へ即時に給湯できるようになされていた。
【０００３】
【発明が解決しようとする課題】
ところが、前記温水等を洗濯機に供給する給湯器として、ガス給湯器ではなく、オイルをヒータ等で間接的に加熱して気化し、ガス化させた後に燃焼を行わせる、いわゆるガス化オイル焚き給湯器とした場合には、該ガス化オイル焚き給湯器の運転を開始させても、該給湯器においては先ず気化器内に供給したオイルを気化させるためのヒータ予熱期間が必要となり、例えば３分経過してヒータ予熱が完了した後、はじめて給湯運転が可能となるため、湯洗いモードを選択しても即時に出湯させることができないという事情が生じる。
そして前記ヒータ予熱の完了前にはオイルが充分に気化しておらず、燃焼できるガス化状態にはなっていないので、このような状態で給湯器に通水がなされると、主に銅製の熱交換器の表面にドレン水が発生し易く、このドレン水がアルミダイキャスト製の気化器の上に滴下し、この滴下によって該気化器が腐食（アルミニウムイオンと銅イオンとの化学反応による）する等の不具合があった。
本発明は上記不具合に鑑みて発明されたものであって、ガス化オイル焚き給湯器等を用いた場合において、洗濯機に給湯する場合に、非加熱状態の冷水が缶体に通されることで、ドレン水が発生したり、これによって周辺部に腐食が生じたりするのを予防し、浴槽内の残水や水道水等を加熱し或いは加熱することなく、安心して洗濯機に供給することができる洗濯注湯制御装置を提供することを課題とする。
【０００４】
【課題を解決するための手段】
上記課題を達成するため、本発明の洗濯注湯制御装置は、水道設備とガス化オイル焚き給湯器と浴槽と洗濯機とにそれぞれ切替え自在に接続されることで、水道水を前記ガス化オイル焚き給湯器を介して或いは介することなく洗濯機に供給し、或いは浴槽内の残水を前記給湯器を介して或いは介することなく洗濯機に供給することを可能にした通路切替器を備えると共に、洗濯機に対して湯を供給する湯洗いモードと非加熱水を供給する水洗いモードとを選択できるようにした洗濯注湯制御装置であって、湯洗いモードが選択された際に、前記ガス化オイル焚き給湯器において未だオイルをガス化するための予熱が完了していない場合には、モードを水洗いモードに変更させると共に通路切替器に対して通路を水洗いモードに対応する通路に切替えて、給水を開始させるように制御するコントローラを備えたことを第１の特徴としている。
また本発明の洗濯注湯制御装置は、上記第１の特徴に加えて、湯洗いモードは、通路切替器によって水道水を加熱して洗濯機に供給する水道水湯洗いモードと、通路切替器によって浴槽内の残水を加熱して洗濯機に供給する浴槽残水湯洗いモードとの何れかから選択され、水洗いモードは、通路切替器によって水道水を加熱せずに洗濯機に供給する水道水水洗いモードと、通路切替器によって浴槽内の残水を加熱せずに洗濯機に供給する浴槽残水水洗いモードとの何れかから選択されることを第２の特徴としている。
【０００５】
【発明の実施の形態】
以下、本発明の実施の形態による洗濯注湯制御装置について、図面を参照して説明する。
図１は本発明の実施の形態例にかかる洗濯注湯制御装置の構成図、図２はガス化オイル焚き給湯器を構成する気化器の断面構成図、図３は本発明の実施の形態例にかかる洗濯注湯制御装置による制御フローチャートである。
【０００６】
まず、本発明の実施の形態例にかかる洗濯注湯制御装置の概略構成を、図１を参照しながら説明する。
この洗濯注湯制御装置は、内部にアルミニウム合金からなる気化器１ａと銅合金からなる熱交換器を備えた缶体１ｂとを有するガス化オイル焚き給湯器１と、通路切替器２と、浴槽３と、洗濯機４と、水道設備５とを、それぞれ有機的に配管接続することで基本構成されている。
具体的には、上記配管接続は、まずガス化オイル焚き給湯器１と水道設備５とが配管６ａで接続されると共に、該水道設備５と通路切替器２とが上記配管６ａより分岐した配管６ｂで接続されている。
また、ガス化オイル焚き給湯器１と通路切替器２とが配管７ａで直接的に接続されると共に、出湯側配管７ｂより分岐した配管７ｃとで接続されている。また、ガス化オイル焚き給湯器１と浴槽３とが配管８ａで直接的に接続されると共に、該浴槽３と通路切替器２とが配管８ｂで接続されている。更に、通路切替器２と洗濯機４とが配管９で直接的に接続されている。
前記水道設備５から配管６ａを通ってガス化オイル焚き給湯器１に入った水道水は、缶体１ｂを通って加熱され、配管７ｂに出湯する。そして必要に応じて配管７Ｃから通路切替器２を介して洗濯機４に加熱された状態で供給される。また水道設備５から配管６ｂに分岐供給された水は必要に応じて、通路切替器２を介して洗濯機４に加熱されることなく供給される。更に、前記配管７ａ、８ａ、８ｂは浴槽水の追い焚き循環路を構成するもので、追い焚き運転時には浴槽水が配管８ａを通ってガス化オイル焚き給湯器１に入り、缶体１ｂを通って加熱され、配管７ａ、通路切替器２、配管８ｂを通って浴槽３に戻る。また浴槽３の残水を洗濯機４に供給する場合には、浴槽３から配管８ａを通ってガス化オイル焚き給湯器１に入った残水が缶体１ｂを通って加熱され、或いは缶体１ｂを通ることなく、配管７ａから通路切替器２に導かれ、該通路切替器２で通路を切り替えられて、洗濯機４に導かれる。
【０００７】
上記通路切替器２は、該通路切替器２に接続された通路を所望の接続関係となるように通路切替えを行うもので、コントローラ２ｂを備え、また外部リモコン２ａを有している。該外部リモコン２ａによって、洗濯機４に対して、湯を供給する湯洗いモードと、加熱されていない水を供給する水洗いモードとのモード選択が切替え可能となっている。更に、前記湯洗いモードについては、水道水を加熱して洗濯機４に供給する水道水湯洗いモードと、浴槽内の残水を加熱して洗濯機４に供給する浴槽残水湯洗いモードとの何れかを選択することができるようになされている。また前記水洗いモードについても、水道水を洗濯機４に供給する水道水水洗いモードと、浴槽内の残水を洗濯機４に供給する浴槽残水水洗いモードとの何れかを選択することができるようになされている。
【０００８】
前記ガス化オイル焚き給湯器１にもコントローラ１ｄと外部リモコン１ｃを備えている。外部リモコン１ｃによる指令により、コントローラ１ｄを介して給湯器１の気化器１ａやその他の機構が制御動作せられる。このガス化オイル焚き給湯器１のコントローラ１ｄと通路切替器２のコントローラ２ｂとは双方向の信号送受信ができるようになされており、通路切替器２のコントローラ２ｂにおいて、ガス化オイル焚き給湯器１の運転の状況を得ることができるようになされている。
【０００９】
前記通路切替器２の外部リモコン２ａによって水道水湯洗いモードが選択されると、コントローラ２ｂは、通路切替器２をして、水道設備５からガス化オイル焚き給湯器１の缶体１ｂを経て加熱された水道水が洗濯機４に供給せられるように、配管７ｃを配管９に接続させる。
また、外部リモコン２ａによって浴槽残水湯洗いモードが選択されると、コントローラ２ｂは、通路切替器２をして、浴槽３からガス化オイル焚き給湯器１の缶体１ｂを経て加熱された浴槽残水が洗濯機４に供給せられるように、配管７ａを配管９に接続させる。
また、外部リモコン２ａによって水道水水洗いモードが選択されると、コントローラ２ｂは、通路切替器２をして、水道設備５からの水道水がガス化オイル焚き給湯器１を通ることなく洗濯機４に供給せられるように、配管６ｂを配管９に接続させる。
また、外部リモコン２ａによって浴槽残水水洗いモードが選択されると、コントローラ２ｂは、通路切替器２をして、浴槽３からの残水がガス化オイル焚き給湯器１に導かれるも、図示しないバイパス等を通って缶体１ｂを通らずに洗濯機４に供給せられるように、配管７ａを配管９に接続させる。
【００１０】
前記通路切替器２のコントローラ２ｂは、外部リモコン２ａによって水道水湯洗いモードが選択されて、運転スイッチがオンされた場合、ガス化オイル焚き給湯器１側からの情報により、該ガス化オイル焚き給湯器１がその気化器１ａのヒータ予熱を完了した状態にあると判断した場合には、その選択した水道水湯洗いモードで、ガス化オイル焚き給湯器１による給湯運転を開始させ、加熱された水道水を洗濯機４に供給する。一方、ガス化オイル焚き給湯器１側からの情報により、気化器１ａのヒータ予熱が完了していないと判断した場合には、モードを水道水湯洗いモードから水道水水洗いモードに変更し、通路を水道水水洗いモードの通路に切り替えて、洗濯機４への水道水の供給を行う。また同様に、外部リモコン２ａによって浴槽残水湯洗いモードが選択されて、運転スイッチがオンされた場合、ガス化オイル焚き給湯器１側からの情報により、該ガス化オイル焚き給湯器１がその気化器１ａのヒータ予熱をを完了した状態にあると判断した場合には、その選択した浴槽残水湯洗いモードで、ガス化オイル焚き給湯器１による給湯運転を開始させ、加熱された浴槽残水を洗濯機４に供給する。一方、ガス化オイル焚き給湯器１側からの情報により、気化器１ａのヒータ予熱が完了していないと判断した場合には、モードを浴槽残水湯洗いモードから浴槽残水水洗いモードに変更し、通路を浴槽残水水洗いモードの通路に切り替えて、洗濯機４への残水の供給を行う。
通路切替器２のコントローラ２ｂは以上のようなプログラムが内蔵されている。
【００１１】
勿論、前記通路切替器２のコントローラ２ｂによる制御プログラムとしては、水道水湯洗いモード若しくは浴槽残水湯洗いモードが選択されて、外部リモコン２ａによる運転スイッチがオンされた場合には、ガス化オイル焚き給湯器１の運転を開始すると共に、気化器１ａのヒータ予熱が完了するまでは対応する水道水水洗いモード若しくは浴槽残水水洗いモードに自動的に切り替えて、洗濯機４へ水道水若しくは浴槽残水を供給し、気化器１ａのヒータ予熱が完了した時点で、湯洗いモードに再度自動的に切替えして、洗濯機４へ加熱された水道水若しくは加熱された浴槽残水を供給するように制御するプログラムとしてもよい。このようにすることで、利用者が望む洗濯洗いに対してより近い制御動作を行うことができる。
また、前記通路切替器２のコントローラ２ｂによる制御プログラムとしては、水道水湯洗いモード若しくは浴槽残水湯洗いモードが選択されて、外部リモコン２ａによる運転スイッチがオンされた場合には、ガス化オイル焚き給湯器による気化器１ａヒータ加熱を開始させ、そのヒータ加熱が完了した時点で、ガス化オイル焚き給湯器による給湯運転を開始させて、洗濯機４へ加熱された水道水若しくは加熱された浴槽残水を供給するように制御するプログラムとしてもよい。
また、上記において、熱交換器を備えた缶体１ｂは、その熱交換器として、水道設備５から配管６ａを通って供給される水道水を熱交換加熱する熱交換器と、浴槽３から配管８ａを通って供給されてくる浴槽残水を熱交換加熱する熱交換器とを別々に設け、これによって水道水と浴槽残水とが混水しないようにするが好ましい。勿論、水道水を加熱する熱交換器を備えた缶体と、浴槽残水を加熱する熱交換器を加熱する缶体とを別々に設けて、別々のバーナで燃焼加熱するようにすることもできる。
更に上記において、各モードの選択は外部リモコン２ａで行っているが、モード選択の手段は通路切替器２のコントローラ２ｂや通路切替器２自体に設けてもよいし、また洗濯機４側或いは給湯器１側の外部リモコン１ｃやコントローラ１ｄ等の操作部またはその近くに設けてもよく、このモード選択手段を介して通路切替器２を切替え制御させればよい。
【００１２】
次に、上記ガス化オイル焚き給湯器１を構成する気化器１ａの一例について、図２により説明する。
この気化器１ａは、モータ１４の回転力を伝える回転軸１２の先端に皿状のロータリヘッド１１が設けられている。該ロータリヘッド１１には周縁方向への開孔が設けれらている。前記ロータリヘッド１１の上方部分には気化室１６を形成するための密封覆い１３が設けられている。また、ロータリヘッド１１には外部からのオイルを供給するオイルノズル１５が該ロータリヘッド１１の回転に支障がないように添装され、該オイルノズル１５先端から噴射されるオイルがロータリヘッド１１の回転時の遠心力によって周囲へ拡散されるようになっている。さらに、気化室１６の下方周囲に予熱用のヒータ１７が配装され、該ヒータ１７に接する形で気化室１６の周囲に受熱フィン１８が設けられている。該受熱フィン１８は上記ヒータ１７による熱で加熱され、よってロータリヘッド１１の回転時の遠心力によって周囲に拡散したオイルは上記受熱フィン１８に衝突して接触することで、受熱フィン１８が保有する熱によって瞬時に気化され、ガス化せられる。このヒータ１７の予熱が完了し、供給されるオイルのガス化が良好に行われるまでには、例えば３分程度の時間が必要となる。
前記気化室１６には、送風機２５からの空気が空気通路２０を通ってその一部が供給され、気化室１６内で気化したオイルと空気とが混合せられる。
燃焼室２２の下方にバーナ１９が複数、一定間隔をおいて配設されている。ガス化されたオイルは気化室１６を下方に下ってバーナ１９群に供給される。そして前記送風機２５から空気通路２０を通ってきた空気の残りが２次空気となって、バーナ１９群に供給され、ガス化したオイルと混合されるようになっている。このようにして、ガス化したオイルと空気との混合気はバーナ１９群を通って、上方に抜け、点火器２１による点火によって燃焼室２２内で燃焼せられる。この燃焼室２２の上には缶体１ｂが設けられている。缶体１ｂ内を水道設備５からの水が通り、或いは浴槽３からの残水が通ることで、加熱される。
【００１３】
次に、上記洗濯注湯制御装置のコントローラ２ｂによる具体的な制御の一例を、図３に示すフローチャートを参照しながら説明する。
今、例えば通路切替器２の外部リモコン２ａによって、水道水湯洗いモードか、浴槽残水湯洗いモードか、水道水水洗いモードか、浴槽残水水洗いモードかの何れかのモードが選択されると、通路切替器２のコントローラ２ｂは、通路切替器２を切替え動作させて、各モードに対応する通路を確保する。
そして外部リモコン２ａの運転スイッチがオンされると、コントローラ２ｂは先ず、湯洗いモードが選択されているか否かを判断し（ステップＳ１）、水洗いモードの場合（ステップＳ１でノー）には、その選択された水道水水洗いモード若しくは浴槽残水水洗いモードでの通路を確保した状態で、通路切替器２内等に設けられた図示しない弁を開いて、洗濯機４への水道水若しくは浴槽残水の供給を行なう（ステップＳ４）。この場合において、浴槽３の残水を供給する場合には、図示しないポンプも駆動させる。
一方、湯洗いモードが選択されている場合（ステップＳ１でイエス）には、コントローラ２ｂは、ガス化オイル焚き給湯器１側からの情報を得て、気化器１ａのヒータ予熱が完了したか否かについて判別する（ステップＳ２）。ヒータ予熱が完了しておれば（ステップＳ２でイエス）、ガス化オイル焚き給湯器１による給湯運転を開始させ、洗濯機４に対して加熱した水道水若しくは加熱した浴槽残水の供給を行なう（ステップＳ３）。
一方、ステップＳ２で、ガス化オイル焚き給湯器１の気化器１ａが予熱を完了した状態にない場合（ステップＳ２でノー）であれば、コントローラ２ｂはモードを湯洗いモードから水洗いモードに変更し、よって対応する水洗いモードの通路に切替えて、水洗いモードにより洗濯機４への水道水若しくは浴槽残水の供給を行なわせる（ステップＳ４）。
【００１４】
しかして、上記構成にかかる洗濯注湯制御装置によれば、通路切替器２の外部リモコン２ａのリモコン操作により、湯洗いモードを選択して運転スイッチをオンした場合、ガス化オイル焚き給湯器１を構成する気化器１ａのヒータ予熱が完了している場合には湯洗いモードがそのまま開始実行され、予め選択された水道水湯洗いモードか浴槽残水湯洗いモードかに対応して、水道水が缶体１ｂ内で加熱され或いは浴槽残水が缶体１ｂ内で加熱されて、即出湯状態で洗濯機４への供給が可能となり、湯洗いが可能となる。
【００１５】
一方、ヒータ予熱が完了していなければ湯洗いモードが開始されることなく、湯洗いモードから水洗いモードに自動的に設定変更され、水道水或いは浴槽残水が缶体１ｂに送られることなく、洗濯機４へ供給されることになる。従って気化器１ａのヒータ予熱が完了していない状態、即ち燃焼していない状態では、缶体１ｂ内に水道水や浴槽残水が通水されることがないので、缶体１ｂ（銅製）からのドレン水の発生を抑制し、ドレン水が気化器１ａ（アルミダイキャスト製）の上に滴下するのを予防することができる。従って、アルミニウムイオンと銅イオンとの化学反応による気化器１ａの腐食等による損傷を予防することができ、気化器、ひいてはガス化オイル焚き給湯器の寿命を延ばす効果をもたらす。
【００１６】
さらに、ヒータ予熱が完了している場合に開始される湯洗いモードにおいては、水道水を加熱して供給する水道水湯洗いモードと、浴槽残水を加熱して供給する浴槽残水湯洗いモードの何れかを選択でき、またヒータ予熱が完了していない場合等に採用される水洗いモードにおいても、水道水を加熱することなくそのまま供給する水道水水洗いモードと、浴槽残水を加熱することなく供給する浴槽残水水洗いモードの何れかを選択できるようになっているので、利用者にとっての選択枝が増え、好みに応じた使い方ができる。
【００１７】
尚、上記の実施の態様においては、ガス化オイル焚き給湯器を用いた場合について説明したが、通常のガス給湯器等、気化器による予熱完了を待つ必要なく即給湯ができる給湯器を用いた場合においても、湯洗いモードが選択された状態で通路切替器２のリモコン２ａの運転スイッチがオンされた際に、前記ガス給湯器等が何らかの事情で即給湯ができない状態にある場合には、通路切替器２のコントローラ２ｂが、モードを湯洗いモードから水洗いモードへ変更して、水洗いモードで洗濯機４への給水を開始させるようにしてもよい。本発明はこのような場合も含むものとする。
【００１８】
【発明の効果】
本発明は以上のように構成され、請求項１に記載の洗濯注湯制御装置によれば、湯洗いモードが選択された際に、ガス化オイル焚き給湯器において未だオイルをガス化するための予熱が完了していない場合には、モードを水洗いモードに変更させると共に通路切替器に対して通路を水洗いモードに対応する通路に切替えて、給水を開始させるように制御するコントローラを備えたので、
例えガス化オイル焚き給湯器において未だオイルをガス化するための予熱が完了していない場合において洗濯注湯のための運転スイッチが湯洗いモードでオンされた場合でも、その場合にはモードを湯洗いモードから水洗いモードに自動的に切替え、また通路切替器によって通路を缶体を通らない通路に自動的に切替えることができるので、水道水や浴槽残水が加熱されることなく冷水のまま給湯器の缶体を通過するのを防止することができる。
よって銅製等の缶体の熱交換器やその周辺に冷水通過のよるドレン水が発生するのを予防することができ、該ドレン水がアルミダイキャスト製等の気化器の上に滴下して気化器の腐食等を進行させるのを防止して、気化器、ひいてはガス化オイル焚き給湯器の寿命を延ばすことができる。
また請求項２に記載の洗濯給湯制御装置によれば、上記請求項１に記載の構成による効果に加えて、湯洗いモードは、通路切替器によって水道水を加熱して洗濯機に供給する水道水湯洗いモードと、通路切替器によって浴槽内の残水を加熱して洗濯機に供給する浴槽残水湯洗いモードとの何れかから選択され、水洗いモードは、通路切替器によって水道水を加熱せずに洗濯機に供給する水道水水洗いモードと、通路切替器によって浴槽内の残水を加熱せずに洗濯機に供給する浴槽残水水洗いモードとの何れかから選択されるようにしているので、
湯洗いモードで洗濯機を利用する場合には、水道水を加熱するか否かは浴槽残水を加熱するかして洗濯機に供給することで、好みや状況或いは必要に応じて両者を自由に組み合わせて使い分けることができる。また水洗いモードで洗濯機を利用する場合においても、浴槽残水と水道水とを自由に選択し、組み合わせて用いることができる。
【図面の簡単な説明】
【図１】本発明の実施の形態例にかかる洗濯注湯制御装置の構成図である。
【図２】ガス化オイル焚き給湯器を構成する気化器の断面構成図である。
【図３】本発明の実施の形態例にかかる洗濯注湯制御装置の制御フローチャートである。
【符号の説明】
１  ガス化オイル焚き給湯器
１ａ  気化器
１ｂ  缶体
２  通路切替器
２ａ  外部リモコン
２ｂ  コントローラ
３  浴槽
４  洗濯機
５  水道設備
６ａ、６ｂ、７ａ、７ｂ、７ｃ、８ａ、８ｂ、９  配管
【図１】
0003733739.tif 000002
【図２】
0003733739.tif 000003
【図３】
0003733739.tif 000004